(57)【要約】【課題】  車載用表示装置を、車室内の座席に簡単な構造により設け、しかも後部座席等の乗員の邪魔とならない設置状態とすることができるようにする。【解決手段】  車室内の座席のヘッドレスト２の一部に、上方に開口部１１ａを有する表示装置用の収納空間１１を設ける。この収納空間内に収納可能な表示装置１２と、この表示装置を一端側に保持し基端部が前記収納空間内の一部に軸支される支軸１３上に設けられる揺動アーム１４とを設ける。この揺動アームの前記支軸回りでの揺動動作によって、前記表示装置を、収納空間内での収納位置とヘッドレストの側方に引き出すことにより座席の背面側から視認可能な視認位置とに姿勢変更可能に構成する。また、揺動アームを支軸回りで揺動駆動する電動モータを含む電動駆動部２１を、必要に応じてヘッドレスト内部に設ける。【選択図】        図１
2005138642.tif 000002
【特許請求の範囲】
【請求項１】
車室内の座席に背面側から視認可能に設けられる車載用表示装置であって、
前記座席のヘッドレストの一部に、開口部を有する表示装置用の収納空間を設け、
この収納空間内に収納可能な表示装置と、この表示装置をヘッドレスト側方に移動可能に支持する支持手段とを設け、
この支持手段により、前記表示装置を、収納空間内での収納位置と前記ヘッドレストの側方に引き出すことにより座席の背面側から視認可能な視認位置とに姿勢変更可能に構成したことを特徴とする車載用表示装置。
【請求項２】
請求項１記載の車載用表示装置において、
前記座席のヘッドレストの一部に、上方に開口部を有する表示装置用の収納空間を設けるとともに、
この収納空間内に収納可能な表示装置を、先端側に保持し基端部が前記収納空間内の一部に軸支される支軸上に設けられる揺動アームを設け、
この揺動アームの前記支軸回りでの揺動動作によって、前記表示装置を、収納空間内での収納位置と前記ヘッドレストの側方に引き出すことにより座席の背面側から視認可能な視認位置とに姿勢変更可能に構成したことを特徴とする車載用表示装置。
【請求項３】
請求項２記載の車載用表示装置において、
前記表示装置を、揺動アームを介して支軸回りで揺動駆動する電動モータを含む電動駆動部を、前記ヘッドレスト内部に設け、
この電動駆動部により前記表示装置を、前記収納位置と前記視認位置とに自動的に姿勢変更可能に構成したことを特徴とする車載用表示装置。
【発明の詳細な説明】
【技術分野】
【０００１】
本発明は、車室内で前部座席の背面側などに装備され後部座席の乗員に対して種々の情報を提供する車載用表示装置に関し、特に車室内での車載用表示装置の取付構造に関する。
【背景技術】
【０００２】
たとえば液晶ディスプレイなどの表示画面を備えた表示装置を、ナビゲーション機器、モニタテレビ、携帯電話、ポータブル型コンピュータ等の各種情報機器の画像表示手段として車両に搭載することが一般的となっている。
【０００３】
そして、最近では、この種の車載用表示装置を、後部座席の乗員のために前部座席の背面側に装備したものも提案されている。
このような車載用表示装置を前部座席の背面側に設けるにあたって最も簡単には、前部座席のシートバック背面部に埋込式で設ければよいが、専用のシートが必要となりコスト高となる。
【０００４】
このため、従来この種の車載用表示装置としては、たとえばシートバックの上端部でヘッドレストを支持するヘッドレストスティなどを利用し、吊り下げ用のブラケット等を用いることにより、表示装置を吊り下げ支持した構造のものが知られている。（例えば、特許文献１参照）。
【０００５】
また、この種の車載用表示装置として、車室の天井部分に吊り下げ状態で設ける、いわゆる天吊り型のものも知られている（例えば、特許文献２参照）。
【０００６】
【特許文献１】実用新案登録第３０７４８８１号公報
【特許文献２】実用新案登録第３０４５４４３号公報
【発明の開示】
【発明が解決しようとする課題】
【０００７】
しかし、上述した従来例において、前者の構造では、ヘッドレストスティに表示装置を取り付けるための専用の吊り下げ用ブラケットなどを必要とし、構成部品点数が多くなり、表示装置を取付けるにあたっての作業が面倒で、コスト高となる等の不具合があった。また、この前者の構造では、前部座席のシートバック背面側に表示装置が常に張り出した状態で吊り下げ支持されているから、乗員が後部座席を乗り降りする際などにおいて、邪魔となることがあり、しかも乗員がぶつかることで、表示装置が破損したりする等の不具合を生じることもあった。
【０００８】
後者の構造でも、車室内の天吊り位置によっては、表示装置が乗員の乗り降りなどの際に邪魔となることがあった。さらに、大型のワンボックスカーでは問題は少ないが、小型車では、近い距離で上方を見上げる姿勢で表示画面を見ることになり、視認性の面で問題であった。また、車両に天吊り取付けできる設備を有していることが必要であり、採用できる車両が限定されるといった問題もあった。
【０００９】
さらに、上述した従来の構造では、いずれの場合にも、車載用表示装置が装備されている車両であることが、車外から一目瞭然で視認できるため、盗難などを助長するといった不安もあった。
【００１０】
本発明はこのような事情に鑑みてなされたものであり、車載用表示装置を、車室内の座席に簡単な構造により簡単に装備でき、しかも不使用時などには、後部座席等の乗員にとって邪魔とならない設置状態とすることが可能で、また盗難防止効果も期待することができる車載用表示装置を得ることを目的とする。
【課題を解決するための手段】
【００１１】
このような目的に応えるために本発明（請求項１記載の発明）に係る車載用表示装置は、車室内の座席に背面側から視認可能に設けられる車載用表示装置であって、座席のヘッドレストの一部に、開口部を有する表示装置用の収納空間を設け、この収納空間内に収納可能な表示装置と、この表示装置をヘッドレスト側方に移動可能に支持する支持手段とを設け、この支持手段により、前記表示装置を、収納空間内での収納位置と前記ヘッドレストの側方に引き出すことにより座席の背面側から視認可能な視認位置とに姿勢変更可能に構成したことを特徴とする。
【００１２】
本発明（請求項２記載の発明）に係る車載用表示装置は、請求項１記載の車載用表示装置を具体的に限定したものであり、座席のヘッドレストの一部に、上方に開口部を有する表示装置用の収納空間を設けるとともに、この収納空間内に収納可能な表示装置を、先端側に保持し基端部が前記収納空間内の一部に軸支される支軸上に設けられる揺動アームを設け、この揺動アームの前記支軸回りでの揺動動作によって、前記表示装置を、収納空間内での収納位置と前記ヘッドレストの側方に引き出すことにより座席の背面側から視認可能な視認位置とに姿勢変更可能に構成したことを特徴とする。
【００１３】
本発明（請求項３記載の発明）に係る車載用表示装置は、請求項２記載の車載用表示装置において、表示装置を、揺動アームを介して支軸回りで揺動駆動する電動モータを含む電動駆動部を、前記ヘッドレスト内部に設け、この電動駆動部により前記表示装置を、前記収納位置と前記視認位置とに自動的に姿勢変更可能に構成したことを特徴とする。
【００１４】
本発明によれば、車載用表示装置は、不使用時には、車室内で前部座席のヘッドレストに設けた収納空間内に収納され、使用時には支持手段、たとえば揺動アームの支軸回りでの揺動動作により収納空間からヘッドレスト側方に引き出され、後部座席の乗員のためのディスプレイとして機能する。
【００１５】
また、本発明によれば、電動モータを含む電動駆動部を設けることにより、揺動アームの支軸回りでの揺動動作を、たとえば乗員のスイッチ操作で自動的に行えるものであり、表示装置の出し入れを簡単に行える。
【発明の効果】
【００１６】
以上説明したように本発明に係る車載用表示装置によれば、不使用時には、車室内で前部座席のヘッドレストに設けた収納空間内に収納され、使用時には支持手段としての揺動アームの支軸回りでの揺動動作等により収納空間からヘッドレスト側方に引き出され、後部座席の乗員のためのディスプレイとして機能することから、後部座席の乗員のための車載用表示装置としての機能を発揮することができる。
【００１７】
しかも、本発明によれば、このような車載用表示装置を、車室内の座席に簡単な構造により簡単に装備でき、また不使用時などには、後部座席等の乗員にとって邪魔とならない設置状態、すなわちヘッドレスト内への収納状態とすることが可能で、さらに盗難防止効果も期待することができる。
【００１８】
また、本発明によれば、電動モータを含む電動駆動部を設けることにより、支持手段としての揺動アームの支軸回りでの揺動動作を、たとえば乗員のスイッチ操作で自動的に行えるものであり、表示装置の出し入れを簡単に行え、操作性の面で有利である。
【発明を実施するための最良の形態】
【００１９】
図１は本発明に係る車載用表示装置の一実施の形態を示すものであり、図において、符号１は車両の車室内に設けられる座席のシートバック、２はこのシートバック２の上端部に２本のヘッドレストスティ２ａ，２ａを介して立設して設けられるヘッドレストである。
【００２０】
本発明によれば、車室内の前部座席に背面側から視認可能に設けられる車載用表示装置１２を、以下のようにしてヘッドレスト２内に設けている。
すなわち、車室内の前部座席のヘッドレスト２の一部に、上方に開口部１１ａを有する表示装置用の収納空間１１を設ける。そして、この収納空間１１内には、該収納空間１１内に収納可能な表示装置１２と、この表示装置１２を一端側に保持し基端部が前記収納空間１１内の一部に軸支される支軸１３上に設けられる揺動アーム１４とが設けられている。
【００２１】
すなわち、表示装置１２の一側部に、ほぼＬ字状に形成された揺動アーム１４の一端を固定し、他端を収納空間１１の一側部寄りの部分に軸支した支軸１３上に設ける。そして、この支軸１３回りで揺動アーム１４を揺動させることにより、表示装置１２を、収納空間１１内での収納位置（図中想像線で示す位置）とヘッドレスト２の側方に引き出すことにより座席の背面側から視認可能な視認位置（図中実線で示す位置）とに姿勢変更可能に構成する。
【００２２】
ここで、この実施の形態では、表示装置１２の視認位置での高さを、前部座席のヘッドレスト２よりも若干高めの位置に位置させている。これは、後部座席、特に３列シートの場合において、最後部座席の乗員からの視認性をも確保するためである。
【００２３】
また、この実施の形態では、このような表示装置１２の視認位置での位置決めを行うために、図１から明らかなように、揺動アーム１４を係止する係止部を、ヘッドレスト２の収納空間１１を構成する部材の一部に形成している。このような係止部としては、表示装置１２または揺動アーム１４を視認位置で係止できる構造であればよく、ヘッドレスト２の一部に係止ピンなどを設けたり、支軸１３に回動規制手段を設けることで対処してもよい。
【００２４】
このような構成による車載用表示装置１２によれば、不使用時には、車室内で前部座席のヘッドレスト２に設けた収納空間１１内に収納され、使用時には揺動アーム１４の支軸１３回りでの揺動動作により収納空間１１からヘッドレスト２側方に引き出され、後部座席の乗員のためのディスプレイとして機能することができる。
【００２５】
そして、このような車載用表示装置１２は、車室内の座席に簡単な構造により簡単に装備できるとともに、不使用時などには、後部座席等の乗員にとって邪魔とならないようにヘッドレスト２内に収納した状態とすることができるから、その利点は大きい。
【００２６】
図２（ａ），（ｂ）は本発明の別の実施の形態を示す。
この実施の形態では、揺動アーム１４を支軸１３回りで揺動駆動する電動モータを含む電動駆動部２１を、ヘッドレスト２内部に設ける。そして、この電動駆動部２１を駆動制御する操作スイッチなど（図示せず）を設けている。
【００２７】
このような構成によれば、操作スイッチにより電動駆動部２１が駆動されることにより、表示装置１２を、前記収納位置と前記視認位置とに自動的に姿勢変更させることが可能となる。したがって、このような構成では、上述した実施の形態での効果に加えて、表示装置１２の出し入れが自動的に行え、操作性の面で容易であるといった利点がある。
【００２８】
また、このような電動駆動部２１に表示装置１２を視認位置でロックするロック手段を組み込む構造とすれば、前述した実施の形態での係止部は不要となる。
なお、この実施の形態では、収納空間１１の形状を、ヘッドレスト２の側方にも開口する形状としているが、これに限定されるものではない。
【００２９】
なお、本発明は上述した実施の形態で説明した構造には限定されず、車載用表示装置１２やこれを組み付けたヘッドレスト２等を含む各部の形状、構造等を適宜変形、変更し得ることは言うまでもない。
【００３０】
また、上述した実施の形態では、ヘッドレスト２内の収納空間１１に収納可能な表示装置１２を、揺動アーム１４により揺動可能に支持した場合を説明したが、本発明はこれに限定されない。たとえばヘッドレスト２に側方に開口する収納空間１１を設けるとともに、該収納空間１１内に表示装置１２を引き出し自在に支持するスライドレール等の支持手段を設け、該支持手段により表示装置１２を、ヘッドレスト２の側方の視認位置に引き出し可能に構成してもよい。
【図面の簡単な説明】
【００３１】
【図１】本発明に係る車載用表示装置の一実施の形態を示し、要部とするヘッドレストの背面図である。
【図２】本発明に係る車載用表示装置の別の実施の形態を示し、（ａ）は要部とするヘッドレストの概略側面図、（ｂ）はヘッドレストの概略背面図である。
【符号の説明】
【００３２】
１…シートバック、２…ヘッドレスト、２ａ…ヘッドレストスティ、１１…収納空間、１１ａ…開口部、１２…車載用表示装置、１３…支軸、１４…揺動アーム（支持手段）、２１…電動駆動部。
【図１】
2005138642.tif 000003
【図２】
2005138642.tif 000004